(57)【要約】【課題】人為的ミスによる誤った薬品の使用を確実に防ぐことができる薬品ロック機構を提供すること。【解決手段】軟質栓１１で封鎖したボトル１０の開口部に被せたキャップ３０と、螺旋蓋４０と、薬品の種類を特定可能な回動器５０とを備え、キャップ３０の軟質栓１１と対応する位置に、周縁が雌ネジとなっている螺旋開口部を形成し、螺旋蓋４０を螺旋開口部に螺合して軟質栓１１を遮蔽し、螺旋蓋４０の表面に、ボトル１０内の薬品に対応した輪郭のロック溝４１を形成し、回動器５０に薬品と対応した輪郭のキー部５１を設け、回動器５０で特定された薬品と、ボトル１０内の薬品とが一致した時にのみ、キー部５１をロック溝４１に係合して螺旋蓋４０を取り外すことができる。【選択図】図３
0003122135.tif 000002
【実用新案登録請求の範囲】
【請求項１】
開口部が軟質栓で封鎖された薬品収納用のボトルをロックする機構であって、前記ボトルの開口部に被せたキャップと、該キャップに着脱可能に装着した螺旋蓋と、薬品の種類を特定可能な回動器とを備え、前記キャップの軟質栓と対応する位置に、周縁が雌ネジとなっている螺旋開口部を形成すると共に、前記螺旋蓋を前記螺旋開口部に螺合して前記軟質栓を遮蔽し、該螺旋蓋の表面に、前記ボトル内の薬品に対応した輪郭のロック溝を形成し、前記回動器に、特定された薬品に対応した輪郭のキー部を設け、前記回動器で特定された薬品と、ボトル内の薬品とが一致した時にのみ、前記回動器のキー部を前記ロック溝に係合して前記螺旋蓋を取り外し可能である、薬品ロック機構。
【請求項２】
前記ロック溝は、本体部の外周から所定数の切欠部を延ばして成り、前記切欠部の数、形状及び切欠部間の角度によって、前記ロック溝の輪郭形状が特定される請求項１に記載の薬品ロック機構。
【請求項３】
前記キャップの下縁に、前記ボトルの頸部に係止される環状のボトル口保持部を形成し、前記螺旋蓋の表面において前記ロック溝の周囲に、前記切欠部の位置又は前記ボトル内の薬品の名称を記号や数字によって表示した請求項２に記載の薬品ロック機構。
【考案の詳細な説明】
【技術分野】
【０００１】
本考案は、誤った薬剤の使用による医療ミスの発生を防ぐ薬品ロック機構に関する。
【背景技術】
【０００２】
現在、注射器を使って注入される薬剤の多くは、図１に示すようなボトル１０に充填されている。
このようなボトル１０は、その開口部が軟質栓１１で封鎖されており、内部の薬剤が流失したり、変質するのを防いでいる。
使用時には、注射器２０の針２１を軟質栓１１に刺して、針２１の先端を薬剤中に深く差し入れ、注射器２０中に吸入する。
しかしながら、ボトル１０の形状、大きさ及びラベルの貼り方等はほとんど同じなので、しっかり確認しないとボトル１０を間違えやすく、誤った薬剤を使用して重大な医療ミスを引き起こしかねない。
【考案の開示】
【考案が解決しようとする課題】
【０００３】
本考案が解決しようとする課題は、人為的ミスによる誤った薬品の使用を確実に防ぐことができる薬品ロック機構を提供することにある。
【課題を解決するための手段】
【０００４】
本考案の薬品ロック機構は、開口部が軟質栓で封鎖された薬品収納用のボトルをロックする機構であって、前記ボトルの開口部に被せたキャップと、該キャップに着脱可能に装着した螺旋蓋と、薬品の種類を特定可能な回動器とを備え、前記キャップの軟質栓と対応する位置に、周縁が雌ネジとなっている螺旋開口部を形成すると共に、前記螺旋蓋を前記螺旋開口部に螺合して前記軟質栓を遮蔽し、該螺旋蓋の表面に、前記ボトル内の薬品に対応した輪郭のロック溝を形成し、前記回動器に、特定された薬品に対応した輪郭のキー部を設け、前記回動器で特定された薬品と、ボトル内の薬品とが一致した時にのみ、前記回動器のキー部を前記ロック溝に係合して前記螺旋蓋を取り外し可能である。
【０００５】
前記ロック溝は、本体部の外周から所定数の切欠部を延ばして成り、前記切欠部の数、形状及び切欠部間の角度によって、前記ロック溝の輪郭形状を特定できるようにしても良い。
この場合、前記キャップの下縁に、前記ボトルの頸部に係止される環状のボトル口保持部を形成し、前記螺旋蓋の表面において前記ロック溝の周囲に、前記切欠部の位置又は前記ボトル内の薬品の名称を記号や数字によって表示することもできる。
【考案の効果】
【０００６】
本考案によれば、回動器と螺旋蓋とが一致した時のみに、ボトルの軟質栓に対する遮蔽を解除してボトル内の薬品を使用することができるので、ミスによる誤った薬品の使用を効果的に防ぐことが可能である。
【考案を実施するための最良の形態】
【０００７】
本考案の薬品ロック機構は、従来と同様の薬剤収納用ボトル１０の開口部をロックする機構であって、図２及び図３に示すように、キャップ３０と、螺旋蓋４０と、回動器５０とを備える。
キャップ３０は、ボトル１０の開口部を覆うよう被せてあり、上端面の軟質栓１１と対応する位置には、周縁が雌ネジとなっている螺旋開口部３１を形成してある。
また、キャップ３０の下縁に沿って、内周方向に張り出す環状のボトル口保持部３２を形成し、このボトル口保持部３２をボトル１０の頸部に係止して、しっかりとキャップ３０を取付けることができるようになっている。
【０００８】
螺旋蓋４０は、キャップ３０の螺旋開口部３１に螺合されて軟質栓１１を遮蔽する。また、螺旋蓋４０の表面にはロック溝４１が形成される。ロック溝４１の輪郭は、ボトル１０内に充填されている薬品に応じた形状及び大きさとしてある。
本実施例では、ロック溝４１は、円形の本体部４１１と、本体部４１１の外周から径方向外方へ延びる所定数の切欠部４１２とを有する。そして、切欠部４１２の数、形状、その間の角度によって、ロック溝４１の輪郭形状を特定できるようになっている。
【０００９】
回動器５０は、手で掴んで回動操作するための操作部の先端にキー部５１を設けてなる。回動器５０は、その表面に表示された記号、文字等により、薬品の種類毎に特定できるようになっており、その先端に設けたキー部５１の輪郭は、この薬品に応じた形状及び大きさとしてある。
薬品に対応したキー部５１の輪郭は、同じ薬品に対応したボトル１０のロック溝４１の形状・大きさと一致しており、キー部５１の輪郭とロック溝４１の輪郭とが一致したときにのみ、図４に示すように、キー部５１をロック溝４１に係合することができる。
そして、キー部５１をロック溝４１へ係合した時のみに、図５に示すように、回動器５０を操作して、螺旋蓋４０をキャップ３０の螺旋開口部３１から取り除き、ボトル１０の軟質栓１１に対する遮蔽を解除することができる。
【００１０】
従って、正しい回動器５０を選択し、さらに正しいボトル１０を選択した場合のみに、軟質栓１１の遮蔽を解除して、ボトル１０内の薬品を使用することができるので、二重の確認作業が必要であり、この結果、人為的ミスによる薬品の誤使用を確実に防止することができる。
なお、螺旋蓋４０の表面において、ロック溝４１の周囲に、切欠部４１２の位置又はボトル１０内の薬品の名称を記号や数字によって表示することも可能であり、ボトル１０や回動器５０の表面に切欠部４１２（或いは、切欠部４１２に対応する突起）の位置を記号によって表示しても良い。このようにすると、ボトル１０内の薬品が何であるのか確認しやすく、正しい回動器５０を簡単に選択することができる。
【図面の簡単な説明】
【００１１】
【図１】従来のボトルの使用状態を示す斜視図。
【図２】本考案の実施例に係るボトル、キャップ及び螺旋蓋の分解斜視図。
【図３】本考案の実施例を示すボトル及び薬品ロック機構の斜視図。
【図４】本考案の実施例を示すボトル及び薬品ロック機構の回動器係合時における斜視図。
【図５】本考案の実施例を示すボトル及び薬品ロック機構の螺旋蓋取り外し時における斜視図。
【符号の説明】
【００１２】
１０  ボトル
１１  軟質栓
２０  注射器
２１  針
３０  キャップ
３１  螺旋開口部
３２  ボトル口保持部
４０  螺旋蓋
４１  ロック溝
４１１  本体部
４１２  切欠部
５０  回動器
５１  キー部
【図１】
0003122135.tif 000003
【図２】
0003122135.tif 000004
【図３】
0003122135.tif 000005
【図４】
0003122135.tif 000006
【図５】
0003122135.tif 000007